(57)【特許請求の範囲】
【請求項１】
加熱されることによって熱起電力を発生する熱電対（３）と被加熱物（１０）の加熱状態を検出する温度センサ（１１）を直列に接続し、前記温度センサ（１１）に、前記熱電対（３）の前記熱起電力にて保持されるガス供給回路（４）中に設けた安全弁（５）を直列に接続し、前記熱電対（３）の他端及び前記安全弁（５）の他端を各々アースしてなるガスコンロにおいて、前記温度センサ（１１）は筒状で上部に感熱部（１２ｄ）、下部中央部に電気的に接続する接続端子（１２ｃ）を絶縁物（１２ｂ）を介して設け、また下部外周部には外側に突出してなるつば部（１２ａ）を有した所定温度で遮断するサーモスタット（１２）とし、前記サーモスタット（１２）は、上部に内側に突出してなるつば部（１２ａ）を有した管状のセンサーカバー（１３）内部に、上方が感熱部となるように、またセンサーカバー（１３）のつば部（１３ａ）内側に、前記サーモスタット（１２）のつば部（１２ａ）が位置するように設け、且つ前記サーモスタット（１２）は、センサーカバー（１３）内部にサーモスタット（１２）の外殻を構成する物質よりやわらかで且つ熱電導率の悪い物質からなるパッキン（１４）を介して下方より、中央部に穴を穿設し、外周部には下方に突出したつば部（１５ａ）を有した円盤状のささえ板（１５）にて、前記ささえ板（１５）のつば部（１５ａ）をパッキン（１４）と反対側にして保持することを特徴とするガスコンロ。
【発明の詳細な説明】
【０００１】
【発明の属する技術分野】
本発明は、家庭等で用いられるガスコンロに関するものである。
【０００２】
【従来の技術】
従来におけるガスコンロは、例えば図４に示すような構成が一般に知られている。
【０００３】
図５は、このガスコンロの要部を拡大し摸式的に示したものである。
【０００４】
１はガスコンロ本体であり、ガスを燃焼させるバーナ２を有し、このバーナ２に燃焼熱で加熱されると熱起電力を発生させる熱電対３をのぞませ、熱電対３の一端は、バーナ２へのガス供給回路４中に設けた安全弁５の一端と電気的に接続され、熱電対３及び安全弁５のそれぞれの他端は、ガスコンロ本体１に電気的に短絡回路６、６ａで接続され、熱電対３と安全弁５を接続された電気的回路７は、短絡回路６、６ａ間では電気的に絶縁されている。
【０００５】
８はガスコンロ本体１に設けた電源９で動作する制御部であり、その制御部８へはガスコンロ本体１に搭載された被加熱物１０の加熱状態を検出する温度センサ１１、熱電対３及び安全弁５が電気的に接続されている。
【０００６】
温度センサ１１は被加熱物１０の温度上昇に伴って電気的な抵抗値が減少する抵抗体が内蔵されている。
【０００７】
（例えば、特開平９ー２６１３２号公報参照）
【０００８】
【発明が解決しようとする課題】
しかしながら上記のような構成では、ガスコンロ本体１のバーナ２が燃焼を開始すると燃焼熱を熱電対３が感知して、熱起電力を生じ、燃焼開始する点火時に安全弁５を強制的に開き保持させていると、この熱起電力にて安全弁５の電磁石部分に電磁石が形成され、以後、安全弁５は燃焼が継続される間は熱起電力にて開状態を維持して、被加熱物１０を加熱し続ける。
【０００９】
温度センサ１１は被加熱物１０に接触され、被加熱物１０の温度により抵抗体の抵抗値変化を検出して制御部８へ伝送し、制御部８内に設けた電気回路中のマイコン等で抵抗値変化を読み取り、その後、マイコン等で異常抵抗値として記憶させられた抵抗値、即ちしきい値以下になると、変化を読みとり、被加熱物１０が異常温度上昇していると判断し、ガス供給回路４中に設けられた安全弁５を強制的に遮断してバーナ２の燃焼を停止させることによって、被加熱物１０の異常加熱を防止して、被加熱物１０内の調理物の焦げつき、油の発火等を防止する安全なガスコンロが提供されていた。
【００１０】
しかし、以上のようなガスコンロを構成するには、被加熱物１０の温度情報を判断したり、その結果に基づいて燃焼を制御したりする制御部８及びその制御部８を動作させるための電源９及びそれらを電気的に接続するリード線等が必要になり、従来の被加熱物１０内の調理物の焦げつき、油の発火等を未然に防止する機能を有していないガスコンロに比較して高価なガスコンロになるという問題点があった。
【００１１】
【課題を解決するための手段】
本発明は、上記問題点を解決したものであり、加熱されることによって熱起電力を発生する熱電対と被加熱物の加熱状態を検出する温度センサを直列に接続し、前記温度センサに、前記熱電対の前記熱起電力にて保持されるガス供給回路中に設けた安全弁を直列に接続し、前記熱電対の他端及び前記安全弁の他端を各々アースしてなるガス制御装置を具備してなるガスコンロにおいて、前記温度センサは筒状で上部に感熱部、下部中央部に電気的接続用の端子を絶縁部を介して設け、また、下部外周部には外側に突出してなるつば部を有した所定温度で遮断するサーモスタットとし、前記サーモスタットは、上部に内側に突出してなるつば部を有した管状のセンサーカバー内部に、上方が感熱部となるように、またセンサーカバーのつば部内側に、前記サーモスタットのつば部が位置するように設け、且つ前記サーモスタットは、センサーカバー内部にサーモスタットの外殻を構成する物質よりやわらかで且つ熱電導率の悪い物質からなるパッキンを介して下方より、中央部に穴を穿設し、外周部には下方に突出したつば部を有した円盤状のささえ板にて、前記ささえ板のつば部をパッキンと反対側にして保持するものとした。
【００１２】
【発明の実施の形態】
本発明は、熱電対がバーナの燃焼熱によって加熱され熱起電力を発生する。
【００１３】
熱起電力発生と同時に電流はサーモスタットを通じて安全弁へと流れる。
【００１４】
この時、熱電対の他端及び安全弁の他端は剛体に短絡されており、安全弁は内部にコイルが内蔵されているため剛体との間に電圧が発生すると同時に電流が流れる。
【００１５】
従って、安全弁のコイル部分に電磁石が形成されて、バーナへの点火動作等にて安全弁を強制的に開状態に位置させた状態で前記電磁石の磁力によって吸着され、強制的に開の状態を解除しても安全弁は熱起電力の発生している間は開状態となって、ガスはバーナへ供給され燃焼を継続する。この時、サーモスタットは被加熱物に接触して、被加熱物から熱を受けて温度上昇する。
【００１６】
次に、被加熱物中の調理物等が何らかの原因で温度上昇すると、例えばサーモスタットのＯＦＦ温度を２５０℃とすれば、被加熱物を介して温度上昇したサーモスタットが２５０℃程度になるとＯＦＦする。
【００１７】
すると、安全弁にかかる熱起電力はなくなり、安全弁は熱起電力の発生のない時は閉状態を維持する構成が作り出されているから開状態を維持することができなくなって閉状態となる。
【００１８】
よって、バーナの燃焼はガスが供給されなくなって停止し、それ以上の被加熱物の温度上昇はなくなり発火を防止する。
【００１９】
ただし、サーモスタット下部中央部には絶縁物を介して端子が設けてあり、前記部分にサーモスタット上部より侵入した煮汁等の水分が付着すると絶縁劣化、絶縁物の強度劣化に伴う亀裂発生によるサーモスタット内部への異物侵入による接触抵抗の増加で燃焼の継続が維持出来ない恐れがある。
【００２０】
また、サーモスタットは従来の抵抗体と比べて容量が大きく熱容量が大であり、被加熱物の温度上昇に対応しての温度上昇が従来に比べて遅れるが、ささえ板とサーモスタットとの間に設けたやわらかで且つ熱電導率の悪い物質からなるパッキンにより、まず、サーモスタット上方より侵入した煮汁等の水分は、端子部へは至らずにパッキン外周端部、ささえ板の筒状の部分を通じて下方へ落ちるので高い信頼性が得られる。
【００２１】
また、被加熱物からの熱はパッキンが熱電導率の悪い物質であるため、前記部分で熱の移動が遮断されサーモスタット自身の温度が上昇し、従来の抵抗体と同様な迅速な応答が得られる。
【００２２】
【実施例】
以下、本発明の一実施例を示す添付図面図１〜図３に基づいて説明する。
【００２３】
図において、１２は筒状で上部に感熱部１２ｄ、下部中央部に接続端子１２ｃを絶縁物１２ｂを介して設け、下部外周部は外側に突出したつば部１２ａを有したサーモスタットである。
【００２４】
１３は筒状のセンサーカバーであり、その上部は内側に突出したつば部１３ａを有している。
【００２５】
尚、前記サーモスタット１２は前記センサーカバー１３内部に、上部が感熱部１２ｄとなるように、また、センサーカバー１３のつば部１３ａ内側に、サーモスタット１２のつば部１２ａが位置するように設けてある。
【００２６】
１４はサーモスタット１２下方に設けたパッキンであり下側より、中央部に穴を穿設し、外周部には下方に突出したつば部１５ａを有した円盤状のささえ板１５にて、前記ささえ板１５のつば部１５ａをパッキン１４と反対側にして保持している。
【００２７】
前記センサーカバー１３はシャフト１７および固定板２２を介してガステーブル１を構成する剛体２３へ固定され、センサーカバー１３内に内蔵されたスプリング１６にてサーモスタット１２に載置される被加熱物１０の位置により上下動する構成である。サーモスタット１２からはリード線Ａ１８、リード線Ｂ１９がシャフト１７内等を経由して導き出されている。
【００２８】
リード線Ａ１８は、熱電対３、リード線Ｃ２０を経由して安全弁５が取り付けてある剛体２３に接続してあり、前記剛体２３は短絡回路２１にてガステーブル１へ接続してある。リード線Ｂ１９は安全弁５に内蔵のコイルに接続してある。
【００２９】
次に、前記構成における本発明の一実施例の動作を説明する。
【００３０】
熱電対３がバーナ２の燃焼炎にて加熱されると熱電対３はリード線Ｃ２０とリード線Ａ１８間に熱起電力を発生し、この熱起電力により、サーモスタット１２を介して安全弁５にリード線Ｂ１９を通して電流が流れる。
【００３１】
この時、安全弁５の内部に設けられたスプリング力等にさからつて強制的に動作されると電流によって発生した電磁石によって強制力を外しても開状態を維持継続してバーナ２の燃焼は継続し、被加熱物１０を加熱し続ける。
【００３２】
サーモスタット１２は被加熱物１０に接触して被加熱物１０の温度を感知し続ける。
【００３３】
この時、被加熱物１０中の調理物等が何らかの原因で温度上昇すると、例えばサーモスタット１２のＯＦＦ温度を２５０℃とすれば、被加熱物１０を介して温度上昇したサーモスタット１２が２５０℃程度になると、ＯＦＦする。
【００３４】
すると、安全弁５にかかる熱起電力はなくなり、安全弁５は熱起電力の発生のない時は閉状態を維持する構成が作り出されているから開状態を維持することができなくなって、閉状態となる。
【００３５】
よって、バーナ２の燃焼はガスが供給されなくなって停止し、それ以上の被加熱物１０の温度上昇はなくなり発火を防止する。
【００３６】
次に、何らかの原因でサーモスタット１２に載置された被加熱物１０よりの煮汁等がサーモスタット１２に滴下した場合、煮汁はサーモスタット１２のつば部１２ａとセンサーカバー１３のつば部１３ａとの隙間部をパッキン１４の外周部へ至る。ここで前記パッキン１４はささえ板１５の円盤状の部分にて下方より挟み込まれており、前記部分の煮汁等は、サーモスタット１２の下部中央部の接続端子１２ｃ、絶縁物１２ｂへは行かずにささえ板１５のつば部１５ａ外周部を通り下方へ滴下する。
【００３７】
よって、サーモスタット１２の高い信頼性が得られる。
【００３８】
更には、前記パッキン１４は熱電導率が悪い物質であるので、サーモスタット１２に載置された被加熱物１０が何らかの原因で急激な温度上昇となつた場合も、被加熱物１０からのサーモスタット１２への熱はサーモスタット１２の熱容量が大であつても前記部分で行き場を失いサーモスタット１２自身が急激な温度上昇を行うことになる。
【００３９】
よって、従来の抵抗体と同様な迅速な応答が得られるものである。
【００４０】
【発明の効果】
以上のように、本発明によれば、温度センサは筒状で上部に感熱部、下部中央部に電気的に接続する接続端子を絶縁物を介して設け、また下部外周部には外側に突出してなるつば部を有した所定温度で遮断するサーモスタットとし、前記サーモスタットは、上部に内側に突出してなるつば部を有した管状のセンサーカバー内部に、上方が感熱部となるように、またセンサーカバーのつば部内側に、前記サーモスタットのつば部が位置するように設け、且つ前記サーモスタットは、センサーカバー内部にサーモスタットの外殻を構成する物質よりやわらかで且つ熱電導率の悪い物質からなるパッキンを介して下方より、中央部に穴を穿設し、外周部には下方に突出したつば部を有した円盤状のささえ板にて、前記ささえ板のつば部をパッキンと反対側にして保持することにより、被加熱物内の調理物の焦げつき、油の発火等を未然に防止する機能を有しているので、安価な方法で調理物の発火防止ができる等有益なガスコンロを提供できた。
【図面の簡単な説明】
【図１】本発明の一実施例を示すガスコンロの電気的構成図である。
【図２】本発明の一実施例を示すガスコンロに使用する温度センサの断面図である。
【図３】本発明の一実施例を示すガスコンロに使用する温度センサの要部図である。
【図４】従来例の一実施例を示すガスコンロの概略図である。
【図５】従来例の一実施例を示すガスコンロの要部拡大摸式図である。
【符号の説明】
３    熱電対
４    ガス供給回路
５    安全弁
１０    被加熱物
１１    温度センサ
１２    サーモスタット
１２ａ  つば部
１２ｂ  絶縁物
１２ｃ  接続端子
１２ｄ  感熱部
１３    センサーカバー
１４    パッキン
１５    ささえ板
【図１】
0003769409.tif 000002
【図２】
0003769409.tif 000003
【図３】
0003769409.tif 000004
【図４】
0003769409.tif 000005
【図５】
0003769409.tif 000006